(57)【要約】【課題】遊技者の任意の保持強度で発射レバーを固定可能とし、発射レバーの回動量微調整を容易とした構成を提供する。【解決手段】ハンドルベース４１と発射レバー４４の、その一方に被圧接面７０を形成し、その他方に被圧接面７０との圧接力の調整が可能な回動調整片（可変圧接体）６２を支持し、被圧接面７０と可変圧接体６２との圧接力により、発射レバー４４を任意位置に保持するようにした。【選択図】　図７
2004065308.tif 000002
【特許請求の範囲】
【請求項１】
遊技機前面に突設されたハンドルベースに、その回動角度により遊技球の打圧強度を調整する発射レバーが手動回転可能に軸支されてなる発射装置を備えたパチンコ遊技機において、
ハンドルベースと発射レバーの、その一方に被圧接面を発射レバーの回動方向に沿って形成し、その他方に被圧接面との圧接力の調整が可能な可変圧接体を支持し、被圧接面と可変圧接体との圧接力により、発射レバーを任意位置に保持するようにしたことを特徴とするパチンコ遊技機。
【請求項２】
可変圧接体が、支軸からの径を周方向に沿って増減させてなる圧接面を備える回動調整片で構成され、該回動調整片を、ハンドルベースと発射レバーのいずれか一方に回転可能に支持し、いずれか他方に、圧接面が圧接される被圧接面を、発射レバーの回動方向に沿って形成した請求項１記載のパチンコ遊技機。
【請求項３】
ハンドルベースと発射レバーのいずれか一方に、ピニオン歯を周方向に形成した回動調整片を回動可能に軸支し、いずれか他方に、発射レバーの回動方向に沿って形成され、かつ前後端縁が開放された連係環溝を形成し、さらに上面にピニオン歯に螺合するラック歯が形成され、かつ連係環溝に嵌入し、かつ深く嵌入するほど円周方向の摺動抵抗が大きくなる摺動突部を備える可変圧接体を、該連係環溝に支持し、回動調整片の回転により可変圧接体の嵌入深さを調整するようにしたことを特徴とする請求項１記載のパチンコ遊技機。
【請求項４】
発射レバーに、回動調整片の周面が露出する窓孔を形成した請求項２又は請求項３記載のパチンコ遊技機。
【請求項５】
回動調整片の周面に、圧接強度を示す指標を記したことを特徴とする請求項２、請求項３又は請求項４記載のパチンコ遊技機。
【請求項６】
回動調整片の周面に、指掛かりとなる摩擦突起を複数突成した請求項２又は請求項３記載のパチンコ遊技機。
【請求項７】
発射レバー又はハンドルベースのいずれか一方に、発射レバーの回動方向に沿って形成され、かつ前後端縁が開放された連係環溝を形成し、いずれか他方に、連係環溝に嵌入し、かつ深く嵌入するほど円周方向の摺動抵抗が大きくなる摺動突部を備える可変圧接体を、前後方向に移動可能に装着したことを特徴とする請求項１記載のパチンコ遊技機。
【請求項８】
発射レバー又はハンドルベースのいずれか一方に、一部周面にピニオン歯が形成され、他部周面に支軸からの径を周方向に沿って増減させてなる圧接面が形成された可変圧接体を軸支し、かつ、ピニオン歯に螺合するラック歯が形成される摺動調整片を前後方向への移動可能に保持し、
さらにいずれか他方に、前記可変圧接体の圧接面が圧接する被圧接面を発射レバーの回動方向に沿って形成したことを特徴とする請求項１記載のパチンコ遊技機。
【請求項９】
可変圧接体の圧接面を、弾性を有するゴムで形成した請求項１乃至請求項８のいずれかに記載のパチンコ遊技機。
【発明の詳細な説明】
【０００１】
【発明の属する技術分野】
本発明は、遊技盤面に遊技球を打球する発射装置を備えたパチンコ遊技機にあって、その発射レバーの保持手段に関するものである。
【０００２】
【従来の技術】
パチンコ遊技機には、遊技盤面上へ遊技球を発射するための発射装置が設けられている。この発射装置は、遊技機前面下部に突設されたハンドルベースに、発射レバーが手動回転可能に軸支されてなる。この発射レバーは、回動操作により打球の強度を調整するものであり、回動角度を大きくする程勢い良く遊技球が発射される。
【０００３】
そして、遊技者は、盤面上の最適な位置に遊技球を打ち出すことができるように、この発射レバーを回動調整し、最適と思われる位置で保持し、打球動作を継続することとなる。また、遊技の途中において発射レバーから手を離した場合には、発射レバーは発射コイルバネの付勢力により、基準位置へ戻るように構成されており、遊技再開の場合は前記動作を繰り返すこととなる。
【０００４】
【発明が解決しようとする課題】
一方、発射レバーを手を緩めても最適位置に保持したままとなる構成も種々提案されている。
このようにハンドルベースに発射レバーを保持する一般的な構成としては、発射レバーの指掛突部の後面に遊技球が嵌入可能な凹部を設けると共に、ハンドルベース外周の発射強度０の位置に固定用遊技球を脱着させる凹面部を形成したものがある。この構成にあっては、発射レバーの回転操作に応じて、凹部に嵌入した固定用遊技球がハンドルベースを押圧することにより、ハンドルベースに対して発射レバーが保持状態となり、発射レバーの戻し位置（発射強度０の位置）に戻した時点で発射レバーの固定状態が解除されるものである。この様なハンドルベースの保持構造以外にも、例えば発射レバーをコイルスプリングでハンドルカバー側へ押付けて固定するもの（特開２００１−０１７６２７号公報）がある。これらの保持手段は、発射レバーを完全固定するものではなく、適度な力により回動して、発射レバーの位置を調整することを可能とする節度力を付与するものである。また、発射レバーに設けた係止爪片をハンドルベースに引掛けて固定するもの（特許第２８７２７８８号公報）も提案されている。
【０００５】
しかしながら、上記従来のハンドルベースの保持構造では、いずれもハンドルベースに対する発射レバーの保持強度が一定となる。このため、発射レバーに十分な保持強度を付与すると、発射レバーの回転操作に大きな操作力が必要となり、一方、保持強度を弱めて、発射レバーの回転操作を容易とすれば、発射レバーの保持強度が不足して、不安定な状態となる。
【０００６】
特に、固定用遊技球を介する保持構造の場合、金属製の遊技球がハンドルベースを押圧するため、保持状態で発射レバーを回転させると、ハンドルベースの外周面に傷や摩耗が生じる問題がある。また、コイルスプリングを介する保持構造の場合、スプリングの弾性力に抗した状態で発射レバーを回転させるため、所望の場所へ正確に位置させることが困難となる。さらには、特許第２８７２７８８号の保持構造では、発射レバーの係止爪片をハンドルベースに引掛けた時点で発射レバーが回転不能に固定されるため、保持状態で遊技盤に対する発射球の到達位置を微調整することが不可能である。例え係止爪片を一旦外して再度所望の位置へ発射レバーを回転しようとしても、係止爪片のハンドルベースへの引掛け位置で発射レバーの回転量が制限される。
本発明は、上述の従来構成の問題点を解決することを目的とするものであり、遊技者の任意の保持強度で発射レバーを固定可能とし、発射レバーの回動量微調整を容易とした構成を提供するものである。
【０００７】
【課題を解決するための手段】
本発明は、遊技機前面に突設されたハンドルベースに、その回動角度により遊技球の打圧強度を調整する発射レバーが手動回転可能に軸支されてなる発射装置において、ハンドルベースと発射レバーの、その一方に被圧接面を発射レバーの回動方向に沿って形成し、その他方に被圧接面との圧接力の調整が可能な可変圧接体を支持し、被圧接面と可変圧接体との圧接力により、発射レバーを任意位置に保持するようにしたことを特徴とするものである（請求項１）。
【０００８】
かかる構成にあって、可変圧接体を制御して、その圧接力を調整することにより、最適な保持強度（節度力）で発射レバーを、ハンドルベースに対して保持することができる。このため、発射レバーを保持強度に抗しながら、適度な力で、回転調整することができる。またその保持強度の調整が可能であるから、一律な保持強度を与えられるものではなく、例えば、遊技盤に対する発射球の到達位置を微調整する段階では、比較的弱い保持強度に設定し、その発射力を確定した場合には、強い保持強度として、発射ハンドルが容易に動かないようにして遊技盤に対する発射球の到達位置を固定する等、状況に対応した保持強度の設定が可能となる。また、このように、保持強度の調整が可能であるから、ハンドルベースの外周面に傷を生じることばなく、しかも、発射ハンドルを所望の場所へ正確に位置させることが可能となる。
この可変圧接体を、被圧接面との圧接力の調整が可能とする構成は、次のように種々提案される。
【０００９】
すなわち可変圧接体が、支軸からの径を周方向に沿って増減させてなる圧接面を備える回動調整片で構成され、該回動調整片を、ハンドルベースと発射レバーのいずれか一方に回転可能に支持し、いずれか他方に、圧接面が圧接される被圧接面を、発射レバーの回動方向に沿って形成した構成（請求項２）が提案される。
【００１０】
この構成にあって、回動調整片（可変圧接体）を増径方向に回転すると、発射レバーの保持強度が向上する。而して、回動調整片を指等で回転することにより、直接的に保持強度を制御することができ、最適な保持強度を発生させ得るものである。この回動調整片は、その周面を、遊技者が操作可能なように、発射レバーの背部等に露出される。
【００１１】
また、ハンドルベースと発射レバーのいずれか一方に、ピニオン歯を周方向に形成した回動調整片を回動可能に軸支し、いずれか他方に、発射レバーの回動方向に沿って形成され、かつ前後端縁が開放された連係環溝を形成し、さらに上面にピニオン歯に螺合するラック歯が形成され、かつ連係環溝に嵌入し、かつ深く嵌入するほど円周方向の摺動抵抗が大きくなる摺動突部を備える可変圧接体を、該連係環溝に支持し、回動調整片の回転により可変圧接体の嵌入深さを調整するようにした構成（請求項３）が提案される。この構成は、歯の送り量を調整することにより、弱い力で、保持強度を調整することが可能となる。
【００１２】
ここで、上述の回動調整片の手動回動操作を、発射ハンドルの前面側から可能とするために、発射レバーに、回動調整片の周面が露出する窓孔を形成する（請求項４）ようにしてもよい。
【００１３】
また、回動調整片の周面に、圧接強度を示す指標を記してもよい（請求項５）。これにより、その指標を見ながら、遊技者は所望の保持強度となるように、容易に調整することができる。
【００１４】
さらには、回動調整片の周面に、指掛かりとなる摩擦突起を複数突成してもよく（請求項６）、これにより指による該回動調整片の回動操作が容易となる。
【００１５】
さらに、他の構成として、発射レバー又はハンドルベースのいずれか一方に、発射レバーの回動方向に沿って形成され、かつ前後端縁が開放された連係環溝を形成し、いずれか他方に、連係環溝に嵌入し、かつ深く嵌入するほど円周方向の摺動抵抗が大きくなる摺動突部を備える可変圧接体を、前後方向に移動可能に装着するようにしてもよい（請求項７）。この構成は、前後方向へ移動可能な可変圧接体を備え、この可変圧接体を遊技者が直接、前後方向へ移動することにより、保持強度を調整可能としたものである。
【００１６】
さらに、発射レバー又はハンドルベースのいずれか一方に、一部周面にピニオン歯が形成され、他部周面に支軸からの径を周方向に沿って増減させてなる圧接面が形成された可変圧接体を軸支し、かつ、ピニオン歯に螺合するラック歯が形成される摺動調整片を前後方向への移動可能に保持し、さらにいずれか他方に、前記可変圧接体の圧接面が圧接する被圧接面を発射レベーの回動方向に沿って形成した構成（請求項８）が提案される。
【００１７】
この構成は、摺動調整片を遊技者が、前後方向へ移動することにより、これにピニオン歯が噛み合う可変圧接体が回転することとなり、可変圧接体を増径方向に回転すると、発射レバーの保持強度が向上することとなる。而して、摺動調整片を指等で前後方向へ移動することにより、保持強度を制御することができ、最適な保持強度を発生させ得るものである。この構成も、歯の送り量を調整することにより、弱い力で、保持強度を調整することが可能となる。
【００１８】
さらに、各構成にあって、可変圧接体の圧接面を、弾性を有するゴムで形成するようにしても良い（請求項９）。これにより被圧接面に圧接面が弾接して、その圧接位置を容易に保持することができる。
【００１９】
【発明の実施の形態】
図１はパチンコ遊技機１の正面図である。このパチンコ遊技機１の外枠には、開閉自在な前枠２が取付けられ、この前枠２の上部後方には遊技盤３が配設されている。この遊技盤面中央の遊技領域には、図柄表示装置６や大入賞口８等が設けられる。
【００２０】
この遊技盤３の左下方から遊技球が発射されると、この遊技球は発射レール２８（図３参照）の案内作用により遊技領域へ送り出される。そして、この遊技領域に設けられた特別始動領域７に遊技球が入ると、図柄表示装置６が駆動する。さらに、連続してこの特別始動領域７に遊技球が通過すると、所定個数を限度として入賞記憶が可能となり、この入賞記憶の消化によっても、図柄表示装置６が駆動する。そして、この図柄表示装置６で表示された図柄が所定の組合せとなると、大入賞口８が開放して、大当り作動が発生することとなる。
【００２１】
また、前記前枠２の下方には上受け皿４が取付けられ、さらにその下方には下受け皿５が取付けられている。そして、この下受け皿５の右側方には、本発明にかかる発射装置の一部を構成する発射ハンドル４０が突出して設けられている。
【００２２】
次に、発射装置について詳細に説明する。
図２に示されるように、前記発射ハンドル４０は、基部側を被覆するハンドルベース４１と、前部側を被覆するハンドル頭部４２とで構成されている。これらハンドルベース４１の径大のフランジ部４３とハンドル頭部４２との間には、発射レバー４４が介装されている。この発射レバー４４は、その周面に指が当てられる複数の指溝４５’（図５参照）が形成された手掛かり部４５が形成される。またこの発射レバー４４は、中心に嵌合された連結軸４６（図４参照）によって、ハンドルベース４１に周方向に可逆回動可能に支持されており、発射コイルバネ２１（図３参照）に連結されて基準位置に常時付勢されている。
【００２３】
発射ハンドル４０の取付け位置に対応する前枠２の裏面側には、図３に示されるように、発射駆動モータ２０、発射駆動モータ制御基板５０、発射鎚５１等を備えた支持基板４８が配設されている。発射鎚５１は、前後方向に回動可能に軸支され、発射コイルバネ２１とこれと接続されたワイヤー２１ａを介して前方付勢されており、下端をストッパー２２に当接させることにより、上端側の打圧位置を規定するようにしている。発射鎚５１には、軸支部から後方突成した支持アーム２３にカムフォロア２４が取付けられており、また、発射駆動モータ２０の回転軸２５には、その回転により前記カムフォロア２４と係合可能なウィングカム２６が取付けられている。
【００２４】
所定条件が充足されて発射駆動モータ２０が駆動すると、ウィングカム２６が回転する。そして、このウィングカム２６がカムフォロア２４と係合し、発射鎚５１を発射コイルバネ２１の付勢に抗して後方に傾動させる。ウィングカム２６がさらに回転してカムフォロア２４との係合が外れて発射鎚５１が解放状態となると、発射鎚５１がこの後方傾動位置から発射コイルバネ２１の付勢力よって打圧回動する解放位置に変換される。すなわち、発射鎚５１は打圧位置まで瞬間的に引き戻される。この変換作動の繰り返しにより、発射鎚５１が一定間隔で連続的に打圧作動を生じるようになっている。このように発射装置は、遊技球を打圧して、打圧位置から発射レール２８の案内作用によって遊技球を遊技盤３の遊技領域へ打ち出すようにしている。
【００２５】
なお、発射レバー４４は発射コイルバネ２１とワイヤー２１ａを介して連繋し、この発射レバー４４の回動角度により発射コイルバネ２１の張力が変化する。すなわち、この発射レバー４４を右方向へ回転すればするほど、ワイヤー２１ａとの連繋端は発射レバー４４の周方向に変位し、ウィングカム２６との係合解除により生ずる発射鎚５１の復元反力の力が強くなって打圧力が増すこととなる。これにより、遊技球は強く打圧され、遊技盤３面の右方へ打ち出されることとなる。このように、発射レバー４４の回動角度により、遊技盤３面上での遊技球の打ち出し位置が調整される。
【００２６】
また、前記上受け皿パネルの裏面側には、整流器２７が装着されており、発射駆動モータ２０が駆動すると、その内部の球送り部材（図示省略）の作動により、発射レール２８に整流器２７の連通孔３０から遊技球が一個づつ供給される。そして、発射鎚５１がこの遊技球を打圧すると、遊技球が発射される。また、これに続いて連通孔３０から、再び打圧位置に遊技球が供給される。このように、発射駆動モータ２０の駆動と同期して、打圧位置に遊技球が、順次約０．６秒の間隔を置きながら間欠的に送りこまれる。なお、発射駆動モータ制御基板５０、発射駆動モータ２０、ウィングカム２６、及びカムフォロア２４により間欠回動装置が構成される。
【００２７】
さらに、本発明の要部である発射ハンドル４０の構成を説明する。
本発明は、発射レバー４４をハンドルベース４１のフランジ部４３に対して最適回動位置に保持でき、遊技者の選定した最適な発射強度で遊技球を打圧できるようにした構成に係るものである。
【００２８】
ここで、図４〜図１０は、本発明の第一実施形態を示す。
この第一実施形態にあって、フランジ部４３の発射レバー４４の回動方向に沿った周面を被圧接面７０としている。また、発射レバー４４の手掛かり部４５の内側の被圧接面７０と対向する部位には、前方に窓孔６１が開口された装着溝部６０が形成され、該装着溝部６０内で、被圧接面７０と径方向で圧接する回動調整片６２が左右方向に軸支され、その周部の一部を前記窓孔６１から前方に露出し、これにより遊技者は、その窓孔６１から露出された回動調整片６２の周面を指で回すことにより、その回動位置を調整可能としている。
【００２９】
この回動調整片６２は、その周面をほぼ楕円状として、これにより支軸からの径を周方向に沿って増減させるようにし、これを圧接面６３とし、その径変化により被圧接面７０との圧接力を変化させるようにしている。すなわち、この回動調整片６２は、本発明の可変圧接体を構成するものである。
【００３０】
この回動調整片６２は、図９で示すように、プラスチック製の円盤状保持片６４に、上述した圧接面６３を備えるゴム製の圧接環片６５を外嵌することにより構成され、円盤状保持片６４の中心には前後に支軸６７が突成されている。また、圧接環片６５の周面には、被圧接面７０との摺動抵抗を大きくするために、溝６８が適宜間隔で多数周設されている。この円盤状保持片６４と圧接環片６５とは、保持片６４の周囲に突成した連結突部６９ａを、圧接環体６５の内面に形成した連結凹部６９ｂに嵌合することにより固定される。
【００３１】
また、発射レバー４４の装着溝部６０には、前記支軸６７が嵌入するＣ字状軸受７１が左右方向へ内方突成される。ここで、軸受７１は、図１２イで示すように周方向に１８０度を微少に越えた周長としている。これにより支軸６７を側方から嵌着可能な保持強度により、保持することができる。すなわち、Ｃ字状軸受７１の内径は、支軸６７の外径より僅かに径大に形成されているものの、その開口幅Ｌは支軸直径より小さく形成される。このため、支軸６７は、Ｃ字状軸受７１の開口を少し弾性変形させて、軸受７１内に強制的に押込むことにより取付けられるとともに、所要の連結強度を得ることができる。
尚、図１２ロで示すように、支軸６７にストッパー部６７’を張り出して、該支軸６７の回動角度を規定するようにしても良い。
【００３２】
而して、Ｃ字状軸受７１に、支軸６７を嵌入し、図５で示すように、回動調整片６２の圧接面６３の無い周部を窓孔６１に露出するようにして、図７，８で示すように、該回動調整片６２を、装着溝部６０内に回動可能に支持する。そして、窓孔６１から露出した回動調整片６２の周部を指で回動することにより、回動調整片６２を図１０で示す各位置に変換することができる。ここで、図１０イは、圧接面６３が、ハンドルベース４１のフランジ部４３に形成した被圧接面７０に圧接していず、発射レバー４４は保持されず、自由に回動できる通常状態である。
【００３３】
また、図１０ロの位置は、圧接面６３が比較的弱い保持強度で被圧接面７０に圧接している状態である。この位置では、遊技球の最適打ち出し位置を発射レバー４４を調整しながら回動して探索する場合に適している。また図１０ハは、圧接面６３の最大径の部位が被圧接面７０に圧接している位置を示す。この位置では、発射レバー４４は最大保持強度で、ハンドルベース４１に保持されており、最適打ち出し位置を緩み無く保持する場合に最適となる。尚、この状態でも、発射レバー４４を周方向に微回動して、その微調整を行うことが可能である。
【００３４】
なお、かかる実施形態では、圧接面６３の接触面積が、発射レバー４４の保持強度に寄与しており、回動調整片６２の厚さ寸法を適宜変更して所望の保持強度が得られるよう調整することもできる。
【００３５】
ここで、前記装着溝部６０及び窓孔６１は、図１１のように、発射レバー４４の種々の位置に設けることができる。ここで、図１１イは、発射レバー４４の手掛かり部４５に形成された指溝４５’に形成したものであり、指が直接触れる場所に、窓孔６１を形成して、該窓孔６１から回動調整片６２の一部周面を露出するようにしたから、その指掛け位置で、指を前後に移動することにより、保持強度を調整することができる。
【００３６】
また、図１１ロは、発射レバー４４の手掛かり部４５の左側傍に形成したものである。この位置には、親指が当てられるから、該親指の操作により、回動調整片６２の操作が可能となる。而して、図１１の各構成は発射レバー４４を指で保持した状態で、発射レバー４４の保持強度を調整することが可能となる。
【００３７】
なお、図５，６で示すように発射レバー４４の手掛かり部４５の突出部表面に設けるようにした場合には、通常の発射レバー４４の把持状態のときに誤って触れる恐れがなく、発射レバーの指掛凹部に設けると通常の発射レバー把持状態で保持強度を変化させることができる。
而して、かかる構成により発射レバー４４の保持強度を最適とし、図６イの停止位置から、図６ロの発射位置に、発射レバー４４を回動することとなる。
【００３８】
ところで、上述の構成では、回動調整片６２を、装着溝部６０内で左右方向に支持し、窓孔６１から露出した回動調整片６２を上下方向に指で摺動操作するようにしたているが、回動調整片６２を前後方向に支持し、これにより図１１ロで示すように、窓孔６１から露出した回動調整片６２を左右方向に指で摺動操作するようにした構成としても良い。
【００３９】
次に図１３は、回動調整片６２の回動位置と保持強度との関係を明確に視認できるように、該回動調整片６２の周囲に、該保持強度を示す指標７２ａ〜７２ｃを形成したものである。ここで図１３イは、各区分領域７３を、濃淡で色分けし、保持強度が高くなる程、濃度を濃く（または薄く）するようにしたものである。これにより、その濃淡によって、保持強度を段階的に知得することができる。また図１３ロは、各区分領域７３を左右で二色に区分して、その色（または濃淡）の割合により保持強度を表示するようにしたものである。さらに、図１３ハは、各区分領域７３に保持強度の順番を示す数字を示し、この数字が大きいほど保持強度が高くなるようにしたものである。これにより、各指標７２ａ〜７２ｂを基準として、遊技者にとって最適な保持強度を容易に選定することができる。
【００４０】
図１４〜図１６は、回動調整片６２’を用いた第一実施形態の変形例を示すものである。
かかる構成にあっては、発射レバー４４の手掛かり部４５に形成した装着溝部６０を、図１４で示すように発射レバー４４の背方に開放して、窓孔６１を設けないようにしたものである。かかる構成にあって、遊技者は、手掛かり部４５の背部で、指先により回動調整片６２を回動することとなる。
【００４１】
ここで、その回動操作を容易とするために、回動調整片６２の周面には、指掛かりとなる摩擦突起７５を複数突成している。そして、この摩擦突起の摺動抵抗により、回動調整片６２を回転して、その圧接面６３の径大な部位を被圧接面７０に圧接して、該発射レバー４４を保持することとなる。
【００４２】
図１７〜図２０は、本発明の第二実施形態を示すものである。
この第二実施形態にあって、発射レバー４４の手掛かり部４５の内側には前方に窓孔６１が開口された装着溝部６０が形成され、該装着溝部６０内に、ピニオン歯８１を周方向に形成した円形の回動調整片８０を、支軸８２をＣ字状軸受７１に嵌着することにより左右方向で回動可能に軸支され、その周部のピニオン歯８１の無い一部を窓孔６１から前方に露出している。これにより遊技者は、その窓孔６１から露出された回動調整片８０の周面を指で回すことにより、その回動位置を調整可能としている。この回動調整片８０の周面にも、上述した、図１３の指標７２ａ〜７２ｃが設けられる。また、この軸支構造も上述したように、図１２イ，ロの構成が適用される。
【００４３】
また、ハンドルベース４１のフランジ部４３には、装着溝部６０と対向する位置で、発射レバー４４の回動方向に沿って、前端縁が開放された連係環溝８５が形成される。この連係環溝８５には、可変圧接体８７が支持される。
【００４４】
可変圧接体８７は、図１８，１９で明らかに示すように、断面コ字状をなし、上辺部８８の上面にピニオン歯８１に螺合するラック歯８９を形成し、かつ上辺部８８の下面に摩擦突起９０を前後方向に複数形成される。また、可変圧接体８７の下辺を、連係環溝８５に嵌入し、かつ深く嵌入するほど円周方向の摺動抵抗が大きくなる摺動突部９２としている。この摺動突部９２の上下面にも、摩擦突起９０を前後方向に複数形成している。また、可変圧接体８７の上辺部８８の両側には、案内突条９３，９３が形成され、発射レバー４４に形成した案内溝９４，９４に嵌合して、前後方向への案内作用を生ずるようにしている。
【００４５】
これにより、図１７ロ，図２０ロの非保持状態から、図１７イ，図２０イで示すように、摺動突部９２を連係環溝８５に嵌入すると、その内面に該摺動突部９２の上下面の摩擦突起９０が圧接し、連係環溝８５のハンドルベース４１の上面に上辺部８８の下面の摩擦突起９０が圧接する。そして、摺動突部９２を連係環溝８５に対して深く嵌入すればするほど、圧接する摩擦突起９０の数が増えるから、ハンドルベース４１と、可変圧接体８７とで、発射レバー４４の回動方向に沿った大きな摺動抵抗を生ずる。そして、回動調整片８０を上述したように窓孔６１から指で回転すると、ピニオン歯８１とラック歯８９との螺合により可変圧接体８７が連係環溝８５に対して前後方向に移動する。このため、その嵌入深さが変化して、深く入れば摺動抵抗が大きくなって、発射レバー４４の保持強度が上昇する関係に従って、該発射レバー４４の保持強度を最適に調整することが可能となる。
【００４６】
かかる実施形態の発射レバー４４では、ハンドルベース４１の連係環溝８５に圧入される摩擦突起９０の個数で発射レバー４４の保持強度が決定され、突出部の圧入深さにより段階的に発射レバーの保持強度が変化する。従って、遊技者は、この段階的強度変化に対応した手触りを感じるから、保持強度の設定が容易となる。また、本実施形態の場合は、回動調整片８０を硬質なプラスチック製とし、可変圧接体８７を弾性を有するゴム材で形成すると良い。
【００４７】
図２１〜図２４は、本発明の第三実施形態を示す。
この構成は、発射レバー４４に後方へ開口する回動方向に沿った連係環溝９５を形成し、該連係環溝９５と前後方向で対向するフランジ部４３の前縁部に前後方向の摺動溝９６を形成し、該摺動溝９６に可変圧接体９８を前後方向への摺動可能に支持したものである。
さらに、この可変圧接体９８の構成を説明すると、該可変圧接体９８は、図２２で示すように、断面略Ｌ字形状のゴム製調節用スライダ部材からなり、連係環溝９５に嵌入する保持突部９９と、その後縁に上方突成される操作部１００とからなる。保持突部９９の表裏面には摩擦突起１０１，１０１が上部前後方向に多数連続形成され、連係環溝９５に保持突部９９を嵌入した場合に、摩擦突起１０１，１０１の接触数が増えることによりその嵌入度が深いほど大きな保持強度を発生するようにしている。この構成にあっても、摩擦突起１０１，１０１の嵌入数増加が段階的になされることにより、発射レバー４４の保持強度を段階的に変化させることが可能となり、遊技者にとって、可変圧接体９８の操作性が向上する。
【００４８】
また操作部１００は、その両側面に上下端に比して細幅状の摺動溝面１０２，１０２が形成され、これにより、図２３で示すように摺動溝面１０２，１０２を摺動溝９６内に摺動可能に装着すると、操作部１００の上端がハンドルベース４１のフランジ部４３の上面から突出することとなり、その上端を指で前後に移動するための操作突起１０３としている。
【００４９】
かかる構成にあって、発射レバー４４の裏側で、指で操作突起１０３を前後移動すると、連係環溝９５内への保持突部９９の嵌入数が変化して、発射レバー４４の円周方向の摺動抵抗が変化し、その保持強度が調整される。これにより、操作突起１０３を奥へ押し出して、その保持を開放した状態か、または適宜な保持強度とした状態で、発射レバー４４を移動し、これにより遊技球の打ち出し位置を任意の最適位置としてから、操作突起１０３を手前にひいて、保持突部９９の嵌入度を深くすることにより、発射レバー４４を比較的堅固に保持する等の操作がなされることとなる。ここで、摺動溝９６には上面側の摩擦突起１０１が露出するから、この表面に図１３で示した指標７２ａ〜２ｃを形成し、保持強度の設定を視覚を通じて容易とすることができる。
【００５０】
図２５〜図２７は、本発明の第四実施形態を示す。
この構成は、発射レバー４４の内側に、その回動方向に沿った上下方向の被圧接面１０５を形成し、被圧接面１０５と少し上部で対向するフランジ部４３の前縁部に前後方向の摺動溝１０６を形成し、該摺動溝１０６に摺動調整片１０７を前後方向への摺動可能に支持すると共に、該ハンドルベース４１に摺動調整片１０７により回動調整される可変圧接体１２０を軸支したものである。
【００５１】
ここで摺動調整片１０７は、下面にラック歯１０９を前後方向に形成された板片状のラック部１１０の後端に、摺動溝１０６に嵌入する操作部１１１が形成されてなる。この操作部１１１の構成は、上述した可変圧接体９８の操作部１００と同一構成であり、摺動溝１０６から上方突出した端部を、摺動調整片１０７を摺動溝１０６に沿って前後方向へ移動するための操作突起１１２としている。
一方、可変圧接体１２０は、その周面に支軸からの径を周方向に沿って増減させるようにした圧接面１２１と、前記ラック歯１０９と噛み合うピニオン歯１２３が形成された連係周面１２２とが形成され、ハンドルベース４１に形成した軸受１２７に支軸１２５を支持されて回動可能となる。そしてその装着位置で、ラック歯１０９とピニオン歯１２３とが噛み合って、摺動調整片１０７の前後移動操作に伴い可変圧接体１２０が回動する。そして、圧接面１２１が被圧接面１０５に圧接すると共に、該圧接面１２１の最大径位置で圧接すると、発射レバー４４を最大保持強度となる関係で保持強度が調整されることとなる。
【００５２】
かかる各構成にあって、被圧接面１０５と圧接する圧接面１２１をゴム製とし、これにより被圧接面１０５と弾性接触させる。このため、該可変圧接体１２０は、その中心部を硬質の円盤状保持片１３０に、上述した圧接面１２１と連係周面１２２とを備えるゴム製の圧接環片１３１を外嵌することにより構成される。
【００５３】
また、かかる構成にあって、発射レバー４４の裏側で、指で操作突起１１２を前後移動すると、摺動溝１０６を案内として、摺動調整片１０７が前後方向へ移動し、これと噛み合う可変圧接体１２０が回動して、被圧接面１０５と圧接面１２１との圧接力が変化し、発射レバー４４の円周方向の摺動抵抗が変化し、その保持強度が調整される。これにより、操作突起１０３を奥へ押し出せば開放方向、手前に引けば保持方向となり、この操作突起１１２の移動調整により、容易に発射レバー４４の保持強度を調整することができる。
【００５４】
尚、上述の第三、第四実施形態の構成は、操作突起１０３、１１２を、発射レバー４４の裏側に設けるようにしたから、操作突起１０３、１１２が、遊技者側から見えず、発射レバーの外観デザインを崩すことがない。
【００５５】
また操作突起１０３、１１２を、ハンドルベース４１側に設けるようにしたから、発射レバー４４の回転量変更操作と保持強度変更操作とを遊技者が別々の手で操作することが可能となり、所望の調整を正確かつ安定的に行うことができる。
【００５６】
本発明の各構成にあって、上述した、発射レバー４４の保持強度を変換するに際して、上述した若干弱い保持強度で発射レバー４４の位置調整を行い、強い保持強度で、最適位置に安定的に保持する一般的な保持態様の他に、遊技機の特性と関連して、種々の保持態様を行使するために利用されうる。例えば、第３種パチンコ機の場合、所謂権利発生状態のときに遊技盤に対する発射球の到達位置を遊技盤の左側から右側へ変更する必要が生じる。この様に、所定のタイミングで発射レバーの回転位置を変化させる場面では、予め中程度の保持強度としておき、回転位置を変化させた後、発射球の到達位置を微調整して、保持強度をさらに強めるよう操作することができる。このように本発明は、種々の有用性を備えるものである。
【００５７】
また本実施形態のハンドルベース４１は、発射レバー４４の回転量に応じて引張られるバネにより付勢された発射槌により遊技球を発射させる機械的な方式を採用しているが、遊技球を発射させる方式は、ソレノイドにより遊技球を発射させる電気的な方式にも適用することができる。
【００５８】
【発明の効果】
本発明は、ハンドルベースと発射レバーの、その一方に被圧接面を形成し、その他方に被圧接面との圧接力の調整が可能な可変圧接体を支持し、被圧接面と可変圧接体との圧接力により、発射レバーを任意位置に保持するようにした（請求項１）から、可変圧接体を制御して、その圧接力を調整することにより、最適な保持強度で発射レバーを、ハンドルベースに対して保持することができる。このため、発射レバーを回転調整に適した保持強度とすることによりに、適度な力で位置調整することができる。また、遊技状況に対応した保持強度の設定が可能となる。さらにまた、ハンドルベースの外周面に傷を生じることばなく、しかも、発射ハンドルを所望の場所へ正確に位置させることが可能となる。
【００５９】
ここで可変圧接体を、支軸からの径を周方向に沿って増減させてなる圧接面を備える回動調整片で構成し、回動調整片の回動角度を調整することにより支軸からの径変化によって、圧接面と被圧接面との圧接力を変化させるようにした構成（請求項２）にあっては、回動調整片を指等で回転調整することにより、直接的に保持強度を制御することができ、最適な保持強度を容易に発生することができる。
【００６０】
また、ハンドルベースと発射レバーのいずれか一方に、ピニオン歯を周方向に形成した回動調整片を回動可能に軸支し、いずれか他方に、発射レバーの回動方向に沿って形成され、かつ前後端縁が開放された連係環溝を形成し、さらに上面にピニオン歯車に螺合するラック歯が形成され、かつ連係環溝に嵌入し、かつ深く嵌入するほど円周方向の摺動抵抗が大きくなる摺動突部を備える可変圧接体を、該連係環溝に支持し、回動調整片の回転により可変圧接体の嵌入深さを調整するようにした構成（請求項３）にあっては、噛み合い歯の比率を調整するなどにより、弱い力で、容易に保持強度の調整ができる。
【００６１】
ここで、上述の回動調整片の手動回動操作を容易とするために、発射レバーに、回動調整片の周面が露出する窓孔を形成する（請求項４）ようにした場合には、遊技者は、発射レバー４４の前面で固定強度の調整ができ、操作性が良い。
【００６２】
また、回動調整片の周面に、圧接強度を示す指標を記した場合（請求項５）には、その指標を見ながら、遊技者は所望の保持強度となるように、容易に調整することができる。
【００６３】
ここで、回動調整片の周面に、指掛かりとなる摩擦突起を複数突成した場合（請求項６）には、指による該回動調整片の回動操作が容易となる。
【００６４】
他の構成として、発射レバー又はハンドルベースのいずれか一方に、発射レバーの回動方向に沿って形成され、かつ前後端縁が開放された連係環溝を形成し、いずれか他方に、連係環溝に嵌入し、かつ深く嵌入するほど円周方向の摺動抵抗が大きくなる摺動突部を備える可変圧接体を、前後方向に移動可能に装着するようにした構成（請求項７）にあっては、この可変圧接体を遊技者が、前後方向へ移動することにより、保持強度を容易に調整可能となる。
【００６５】
さらに、発射レバー又はハンドルベースのいずれか一方に、一部周面にピニオン歯が形成され、他部周面に支軸からの径を周方向に沿って増減させてなる圧接面が形成された可変圧接体を軸支し、かつ、ピニオン歯に螺合するラック歯が形成される摺動調整片を前後方向への移動可能に保持し、さらにいずれか他方に、前記可変圧接体の圧接面が圧接する被圧接面を発射レベーの回動方向に沿って形成した構成（請求項８）にあっては、摺動調整片を遊技者が指などで前後方向へ移動することにより、これに伴って回転する可変圧接体の径変化により、容易に保持強度を制御することができ、さらには歯の送り量を調整することにより、弱い力で、容易に保持強度を調整することが可能となる。
【００６６】
各構成にあって、可変圧接体の圧接面を、弾性を有するゴムで形成するようにした場合（請求項９）には、被圧接面に圧接面が弾接して、その圧接位置を容易に保持することができる。
【図面の簡単な説明】
【図１】パチンコ遊技機１の正面図である。
【図２】パチンコ遊技機１の下部を示す斜視図である。
【図３】発射装置を示す裏面図である。
【図４】発射装置を示す分解斜視図である。
【図５】第一実施形態に係る発射ハンドル４０の正面図である。
【図６】第一実施形態に係る発射ハンドル４０の作動を示す斜視図である。
【図７】第一実施形態に係る発射ハンドル４０の要部を示す縦断側面図である。
【図８】回動調整片６２の装着形態を示す分離斜視図である。
【図９】回動調整片６２の構造を示す分離斜視図である。
【図１０】第一実施形態の保持態様イ、ロ、ハを示す要部の縦断側面図である。
【図１１】回動調整片６２の配設位置の変形例イ、ロを示す発射ハンドル４０の斜視図である。
【図１２】回動調整片６２の軸支構造イ、ロを示す説明図である。
【図１３】回動調整片６２の指標を周設した構成イ、ロ、ハを示す斜視図である。
【図１４】第一実施形態の変形例の、発射ハンドル４０を裏から視た斜視図である。
【図１５】第一実施形態の変形例の回動調整片６２’の装着形態を示す分離斜視図である。
【図１６】第一実施形態の変形例の回動調整片６２’の取付説明図である。
【図１７】第二実施形態の保持態様イ、ロを示す要部の縦断側面図である。
【図１８】第二実施形態の可変圧接体８７等の要部を示す分解斜視図である。
【図１９】第二実施形態の可変圧接体８７の保持態様イ、ロを示す要部の縦断面図である。
【図２０】第二実施形態の可変圧接体８７等の保持態様イ、ロを示す要部の横断面図である。
【図２１】第三実施形態の保持態様イ、ロを示す要部の縦断側面図である。
【図２２】可変圧接体９８を具備ずる発射ハンドル４０の分離斜視図である。
【図２３】可変圧接体９８の摺動溝９６との結合構造を示す横断面図である。
【図２４】第三実施形態の発射ハンドル４０を裏から視た斜視図である。
【図２５】第四実施形態の保持態様イ、ロを示す要部の縦断側面図である。
【図２６】摺動調整片１０７等の連係機構を示す要部の横断面図である。
【図２７】第四実施形態の発射ハンドル４０を裏から視た斜視図である。
【符号の説明】
１　パチンコ遊技機
４０　発射ハンドル
４１　ハンドルベース
４３　フランジ部
４４　発射レバー
４５　手掛かり部
６０　装着溝部
６１　窓孔
６２，６２’　回動調整片（可変圧接体）
６３　圧接面
６５　圧接環片
７０　被圧接面
７２ａ〜７２ｃ　指標
８０　回動調整片
８１　ピニオン歯
８５　連係環溝
８７　可変圧接体
８９　ラック歯
９０　摩擦突起
９２　摺動突部
９５　連係環溝
９６　摺動溝
９８　可変圧接体
９９　保持突部
１０５　被圧接面
１０６　摺動溝
１０７　摺動調整片
１０９　ラック歯
１１０　ラック部
１２０　可変圧接体
１２１　圧接面
１２２　連係周面
１２３　ピニオン歯
１３１　圧接環片
【図１】
2004065308.tif 000003
【図２】
2004065308.tif 000004
【図３】
2004065308.tif 000005
【図４】
2004065308.tif 000006
【図５】
2004065308.tif 000007
【図６】
2004065308.tif 000008
【図７】
2004065308.tif 000009
【図８】
2004065308.tif 000010
【図９】
2004065308.tif 000011
【図１０】
2004065308.tif 000012
【図１１】
2004065308.tif 000013
【図１２】
2004065308.tif 000014
【図１３】
2004065308.tif 000015
【図１４】
2004065308.tif 000016
【図１５】
2004065308.tif 000017
【図１６】
2004065308.tif 000018
【図１７】
2004065308.tif 000019
【図１８】
2004065308.tif 000020
【図１９】
2004065308.tif 000021
【図２０】
2004065308.tif 000022
【図２１】
2004065308.tif 000023
【図２２】
2004065308.tif 000024
【図２３】
2004065308.tif 000025
【図２４】
2004065308.tif 000026
【図２５】
2004065308.tif 000027
【図２６】
2004065308.tif 000028
【図２７】
2004065308.tif 000029